(57)【要約】【課題】  特定のシーンを抽出し、ダイジェスト視聴を可能にする受信装置を提供する。【解決手段】  掲示板閲覧部２４は、電子掲示板サーバ２から、記憶装置に記録される番組に対する投稿文が記述された投稿文データを取得し、インデックス管理部２３は、シーンチェンジ用文字列データ３１に基づいて、投稿文データに特定の語句が記述されているか判定し、記述されている場合は、投稿文がアップロードされた時刻、または投稿文データが取得された時刻からシーンチェンジが行われたと推定される推定シーンチェンジ時刻を算出し、少なくとも当該推定シーンチェンジ時刻を含む再生インデックスデータ３８を生成する。受信装置１は、再生インデックスデータ３８に基づいて、シーンチェンジが行われたと推定されるところからコンテンツを再生する。【選択図】  図３
2005136582.tif 000002
【特許請求の範囲】
【請求項１】
視聴者に提供される番組を受信し、当該番組を記憶装置に記録、再生し、前記番組に関する投稿文がアップロードされる電子掲示板サーバから、前記番組に対する投稿文が記述された投稿文データを取得する受信装置であって、
前記番組内でシーン変更が行われたことを意味する複数の語句を記憶する記憶手段と、
取得した前記投稿文データに前記記憶手段に記憶されている前記語句が記述されているか判定する判定手段と、
前記判定手段によって前記投稿文データに前記語句が記述されていると判定された場合は、当該投稿文が前記電子掲示板サーバにアップロードされた時刻、または当該投稿文データが取得された時刻から、前記番組内にシーン変更が行われたとされるシーンチェンジ時刻を算出し、当該シーンチェンジ時刻からシーン変更が行われた場面が記録されている前記記憶装置に記録してある前記番組データの記録位置を特定し、少なくとも当該シーンチェンジ時刻と当該記録位置を含むインデックス情報を生成するインデックス生成手段と、
前記インデックス情報に基づいて、当該投稿文と共に当該記録位置から当該番組を再生する再生手段と、
を備えることを特徴とする受信装置。
【発明の詳細な説明】
【技術分野】
【０００１】
本発明は、特定のシーンを抽出し、ダイジェスト視聴を可能にする受信装置に関する。
【背景技術】
【０００２】
大容量の記憶装置を備えた受信端末では、数十時間分の番組や動画等の多数のコンテンツが受信端末内に記録蓄積されることがある。この蓄積されたコンテンツを効率よく視聴する手段があると、利用者にとってはたいへん便利である。
【０００３】
そのため、従来の受信端末で効率良く録画したコンテンツを視聴する手法としては、再生速度を通常再生速度より速める方法や、必要な場面を中心に再生して視聴するダイジェスト視聴を行う方法等がある。特に後者においては、受信端末内部に記録されたコンテンツの特定シーンの先頭を示す情報が必要となってくる。
【０００４】
このため、従来では、放送局、あるいは別のサービス提供者があらかじめダイジェスト視聴のためのシーン情報を作成し、番組と共に、あるいは別経路で受信端末へ配信するか、受信端末側の分析機能で番組のシーンを検出して利用する方法が考えられてきたが、当然のことながら、全ての番組でダイジェスト視聴を可能とすることは現実的には非常に困難であった。
【０００５】
例えば、放送局側でダイジェスト視聴可能な番組を作成する方法では、番組制作者が番組のハイライトシーンが選定し、シーンの開始位置を示す情報としてインデックス情報が登録する作業が必要となる。
【０００６】
また、予め放送局とは別のサービス提供者がネットワークを介してＣＭスキップや特定シーンの時刻情報を提供する方法もあるが、この場合もサービス提供者側でＣＭスキップや特定シーンの時刻情報作成する作業が必要となる。
【０００７】
また、受信端末で番組のシーンチェンジを自動検出する場合では、シーンチェンジは時間軸上での画面間の差分などにより検出されるため、複数のカメラを切り替えた場合などの物理的なシーンチェンジ検出が中心となる。
【０００８】
受信端末側ではこの種の検出は比較的実現が容易ではあるが、物理的なシーンチェンジ検出では検出されるシーンが常に利用者が興味を示すシーンの先頭を示しているとは限らない。そのため、更に高度なアルゴリズムを追加することにより、意味的なシーンチェンジの検出精度を向上させる方向に受信端末を改善していくことになるが、高度なアルゴリズムを搭載すればするほど、受信端末側の処理負荷は重たくなってしまう。特に新たな人物の登場を特定するようなシーンチェンジ検出は非常に高度な処理が要求される。
【特許文献１】特開２００１−２５１５８１号公報
【特許文献２】特開２００３−６１０３６号公報
【特許文献３】特開平７−７９４３１号公報
【特許文献４】特開平１１−２５９０６１号公報
【発明の開示】
【発明が解決しようとする課題】
【０００９】
解決しようとする問題点は、制作者あるいは別のサービス提供者によるシーンチェンジデータを制作する際の人的手間の発生、あるいは受信端末内処理の高度化であり、シーンチェンジが行われた箇所を選定し、蓄積された番組の効率のよい視聴を実現する受信装置を提供することを目的とする。
【課題を解決するための手段】
【００１０】
上記目的を達成するために、本発明は、視聴者に提供される番組を受信し、当該番組を記憶装置に記録、再生し、前記番組に関する投稿文がアップロードされる電子掲示板サーバから、前記番組に対する投稿文が記述された投稿文データを取得する受信装置であって、前記番組内でシーン変更が行われたことを意味する複数の語句を記憶する記憶手段と、取得した前記投稿文データに前記記憶手段に記憶されている前記語句が記述されているか判定する判定手段と、前記判定手段によって前記投稿文データに前記語句が記述されていると判定された場合は、当該投稿文が前記電子掲示板サーバにアップロードされた時刻、または当該投稿文データが取得された時刻から、前記番組内にシーン変更が行われたとされるシーンチェンジ時刻を算出し、当該シーンチェンジ時刻からシーン変更が行われた場面が記録されている前記記憶装置に記録してある前記番組データの記録位置を特定し、少なくとも当該シーンチェンジ時刻と当該記録位置を含むインデックス情報を生成するインデックス生成手段と、前記インデックス情報に基づいて、当該投稿文と共に当該記録位置から当該番組を再生する再生手段とを備えることを特徴とする。
【発明の効果】
【００１１】
本発明によれば、電子掲示板に投稿された投稿文を基に、シーンチェンジが行われた箇所が特定されるので、蓄積された番組の効率のよい視聴が可能となる。
【発明を実施するための最良の形態】
【００１２】
≪第１の実施形態≫
第１の実施形態について、図１〜図１１を用いて説明する。第１の実施形態におけるシステム全体の構成は、図１に示すように、受信装置１ａ、電子掲示板サーバ２、視聴者が利用する通信端末３とから構成され、受信装置１ａと通信端末３はインターネット、ＬＡＮ等のネットワーク４を介して電子掲示板サーバ２に接続される。なお、有線通信網、放送衛星、通信衛星、または地上波放送を送出する通信タワーを介して番組放送、動画等のＡＶ（Audio and Visual）データ（以下、コンテンツ２７と総称する）が供給されることとする。
【００１３】
受信装置１ａは、図２に示すように、コンテンツ制御部１１ａ、ＡＶ変換部１２、操作情報受信部１３、映像出力部１４、および音声出力部１５とから構成される。
【００１４】
コンテンツ制御部１１ａは、外部から供給されるコンテンツ２７を受信する機能と、電子掲示板サーバ２に接続して、電子掲示板サーバ２に投稿されている投稿文を含んで構成される投稿文データ２８を取得する機能とを有する（詳細については後述）。
【００１５】
また、ＡＶ変換部１２は、コンテンツ制御部１１ａから供給されるコンテンツ２７を基に、表示装置７へそのコンテンツ２７を出力するための映像信号と音声信号を生成する機能を有する。
【００１６】
また、操作情報受信部１３は、リモートコントローラやキーボード等の入力装置１６から送信される視聴者の操作内容を示す操作データを受信する機能を有する。
【００１７】
また、映像出力部１４は、ＡＶ変換部１２が生成した映像信号を出力する機能を有し、音声出力部１５は、ＡＶ変換部１２が生成した音声信号を出力する機能を有する。
【００１８】
コンテンツ制御部１１ａは、図３に示すように、コンテンツ受信部２１、コンテンツ蓄積部２２、インデックス管理部２３ａ、掲示板閲覧部２４、および蓄積スケジューラ部２５とから構成され、ハードディスク装置等の記憶装置２６を備える。
【００１９】
コンテンツ受信部２１は、受信したコンテンツ２７をＡＶ変換部１２に供給する機能と、視聴者が入力装置１６を操作することによって操作情報受信部１３から供給されるコンテンツ２７の受信命令、または蓄積スケジューラ部２５からのコンテンツ２７の受信命令に基づいてコンテンツ２７を受信し、コンテンツ蓄積部２２に受信したコンテンツ２７を供給する機能とを有する。
【００２０】
また、コンテンツ蓄積部２２は、視聴者が入力装置１６を操作することによって操作情報受信部１３から供給されるコンテンツ２７の記録命令、または蓄積スケジューラ部２５からのコンテンツ２７の記録命令に基づいてコンテンツ受信部２１から供給されるコンテンツ２７を記憶装置２６に記録する機能と、コンテンツ受信部２１から供給されるコンテンツ２７、または記憶装置２６に記録されているコンテンツ２７を取得し、インデックス管理部２３ａに供給する機能とを有する。また、コンテンツ蓄積部２２は、視聴者が入力装置１６を操作することによって操作情報受信部１３から供給されるコンテンツ２７の再生命令に基づいて記憶装置２６に記録されているコンテンツ２７を取得し、ＡＶ変換部１２に供給する機能を有する。
【００２１】
また、インデックス管理部２３ａは、視聴者が入力装置１６を操作することによって操作情報受信部１３から供給されるシーンチェンジの検索命令に基づいて、または掲示板閲覧部２４から投稿文データ２８が供給されると、コンテンツ蓄積部２２から供給されるコンテンツ２７からシーンチェンジが行われている箇所を特定する機能を有する（詳細については後述）。また、インデックス管理部２３ａは、抽出投稿文データ３７をＡＶ変換部１２に供給する機能を有する。
【００２２】
また、掲示板閲覧部２４は、視聴者が入力装置１６を操作することによって操作情報受信部１３から供給される投稿文の取得命令に基づいて、または所定の時間間隔をもってネットワーク４を介して電子掲示板サーバ２との接続を確立し、電子掲示板サーバ２に投稿されている投稿文が記述されたＨＴＭＬファイルである投稿文データ２８を要求する機能と、電子掲示板サーバ２から受信した投稿文データ２８と供に電子掲示板サーバ２から投稿文データ２８を取得した時刻（取得時刻）をインデックス管理部２３ａに供給する機能を有する。また、掲示板閲覧部２４は、受信した投稿文データ２８をＡＶ変換部１２に供給する機能を有する。
【００２３】
また、蓄積スケジューラ部２５は、視聴者が入力装置１６を操作することによって操作情報受信部１３から供給されるコンテンツ２７の記録予約命令を記憶し、その記録予約命令に基づいて、コンテンツ受信部２１に対してコンテンツ２７の受信命令を供給し、コンテンツ蓄積部２２に対してコンテンツ受信部２１から供給されるコンテンツ２７の記録命令を供給する機能を有する。この記録予約命令には、チャンネル番号等のコンテンツ２７を識別する識別子、記録開始時刻、記録終了時刻、番組名等のコンテンツ名からなる予約情報が含まれる。
【００２４】
さらに、インデックス管理部２３ａは、図４に示すように、シーンチェンジ文字列検索部３１、投稿文分離部３２、投稿時刻検出部３３、シーンチェンジ時刻推定部３４ａ、および再取得制御部３５とから構成され、図示しない記憶装置２６、または補助記憶装置２６にシーンチェンジ用文字列データ３６、抽出投稿文データ３７、再生インデックスデータ３８、および再取得間隔データ３９が記録される。
【００２５】
シーンチェンジ文字列検索部３１は、シーンチェンジ用文字列データ３６を参照して、投稿文データ２８にシーンチェンジ用文字列データ３６に記録されているシーンチェンジを示す文字列が含まれているかどうか判定し、含まれていた場合、その文字列が含まれている投稿文を特定する情報を投稿文分離部３２に供給する機能を有する。
【００２６】
また、投稿文分離部３２は、シーンチェンジ文字列検索部３１から供給された投稿文を特定する情報に基づいて、シーンチェンジを示す文字列が含まれている投稿文を投稿文データ２８から抽出する機能を有する。
【００２７】
また、投稿時刻検出部３３は、投稿文分離部３２によって抽出された投稿文の投稿時刻を投稿文データ２８から抽出し、シーンチェンジ時刻推定部３４ａに供給する機能を有する。
【００２８】
また、シーンチェンジ時刻推定部３４ａは、投稿時刻検出部３３によって抽出された投稿時刻から、シーンチェンジが行われたと推定される時刻を所定の演算式で算出し、再生インデックスデータ３８を生成する機能を有する。
【００２９】
また、再取得制御部３５は、再取得間隔データ３９に記述されている所定の時間間隔で、掲示板閲覧部２４に対して投稿文データ２８の再取得を指示する機能を有する。また、再取得制御部３５は、再取得を行う時間間隔をシーンチェンジ時刻推定部３４ａに供給する機能を有する。
【００３０】
また、シーンチェンジ用文字列データ３６とは、シーンチェンジを表す特定の語句を含む文字列、およびその語句に関連した意味を有する語句を含む文字列を記録したデータである。
【００３１】
また、抽出投稿文データ３７と再生インデックスデータ３８とは、図５に示すように、１つのデータテーブルとして構成され、コンテンツＩＤ、シーン番号、推定シーン時刻、再生位置、および抽出投稿文の項目を有するデータテーブルであり、このうち、コンテンツＩＤ、シーン番号、推定シーン時刻、再生位置の４つの項目に記録されるデータを再生インデックスデータ３８、抽出投稿文の項目に記録されるデータを抽出投稿文データ３７とする。
【００３２】
コンテンツＩＤの項目には、記憶装置２６に記憶されているコンテンツ２７を識別するデータが記録され、シーン番号の項目には、抽出されたシーンを識別するデータが記録される。また、推定シーン時刻の項目には、シーンチェンジが行われたと推定される時刻が記録され、再生位置の項目には、シーンチェンジが行われた箇所が記憶装置２６上のどこに記録されているかを示す記録位置が記録される。また、抽出投稿文の項目には、投稿文分離部３２によって抽出された投稿文が記録される。
【００３３】
また、再取得間隔データ３９とは、再取得制御部３５が掲示板閲覧部２４に対して投稿文データ２８の再取得を指示する時間間隔を記録したデータであり、この時間間隔は、例えば、３０秒〜１２０秒程度の時間長であり、初期設定値は３０秒とする。また、視聴者が所望の時間長を設定可能であることとする。
【００３４】
電子掲示板サーバ２は、視聴者から投稿される投稿文を、例えば図６に示すようなデータ項目を有する形式で記録し、投稿された投稿文を電子掲示板として公開するためのＨＴＭＬファイル（投稿文データ２８）を生成する機能を有する。
【００３５】
図６に示す投稿文を記録するデータは、掲示板の題目を区別する情報として放送局、番組、放送日、放送時刻のデータ項目を有し、さらに個々の投稿文を記録するため投稿番号、投稿時刻、発言者、投稿文のデータ項目を有している。また投稿文を電子掲示板として公開するためのＨＴＭＬファイルも掲示板の題目を区別する情報として放送局、番組、放送日、放送時刻のデータが記述され、さらに個々の投稿文を記録するため投稿番号、投稿時刻、発言者、投稿文のデータが記述される。
【００３６】
なお、図６の投稿文は、一例としてＸＭＬ形式で表記されたものが示されているが、特にこれに限定するものではなく、通信端末３と電子掲示板サーバ２間の通信は、ＸＭＬではなくＨＴＭＬでも良いし、通信端末３のアプリケーションが本発明に対応した専用のものであれば、独自のフォーマットでも良い。また、電子掲示板サーバ２内に投稿文を記録する際のそのデータの記録方式は、図６に示すＸＭＬ形式ではなく、独自のデータベースフォーマットであっても良い。
【００３７】
また、通信端末３は、キーボードやマウス等の入力装置を備え、またネットワーク４に接続する通信装置を備える。また、通信端末３は、Ｗｅｂブラウザ等の通信機能を有するアプリケーションソフトを実行可能であり、視聴者は、このアプリケーションソフトを利用して電子掲示板サーバ２に対して投稿文を投稿（アップロード）する。
【００３８】
視聴者は番組を視聴しながら、通信端末３から電子掲示板サーバ２への投稿を行うが、番組の進行に追従して可能な限り素早い投稿であることが望ましい。そのためには、使用頻度の高い文字列やシーンチェンジを示すような文字列は予め単語登録しておく。
【００３９】
なお、受信装置１ａ−電子掲示板サーバ２間の諸データの送受信は、ＨＴＴＰやＦＴＰ等のファイル転送プロトコルの規約に基づいて行われることとし、諸データは所定のファイル形式またはメッセージヘッダに挿入されて送受信されるが、特にこの方式に限定されるものではない。また、通信端末３−電子掲示板サーバ２間の諸データの送受信についても、同様にファイル転送プロトコルの規約に基づいて行われることとし、諸データは所定のファイル形式またはメッセージヘッダに挿入されて送受信されるが、特にこの方式に限定されるものではない。
【００４０】
また、記憶装置２６については、ランダムアクセス可能な記憶装置２６であることが望ましく、ハードディスク装置以外にも記録型のＤＶＤドライブ装置（記録メディアを含む）等でも良い。
【００４１】
次に、受信装置１ａの動作について説明する。
【００４２】
通常、視聴者が受信装置１ａを用いてコンテンツ２７を視聴する際は、まず、操作情報受信部１３からのコンテンツ２７の受信命令、または蓄積スケジューラ部２５からのコンテンツ２７の受信命令に従って、コンテンツ受信部２１がコンテンツ２７を受信する。ＡＶ変換部１２は、コンテンツ受信部２１によって受信されたコンテンツ２７を表示装置７が再生可能な映像信号と音声信号とに分離変換し、映像出力部１４がその映像信号を、音声出力部１５がその音声信号をそれぞれ出力することによって、視聴者はコンテンツ２７を視聴することが可能となる。
【００４３】
また、通常の視聴を行いつつ、記憶装置２６に記録することも可能である。その場合は、操作情報受信部１３からのコンテンツ２７の記録命令、または蓄積スケジューラ部２５からのコンテンツ２７の記録命令に従って、コンテンツ受信部２１がＡＶ変換部１２とコンテンツ蓄積部２２にコンテンツ２７を供給し、コンテンツ蓄積部２２がそのコンテンツ２７を記憶装置２６に記録する。
【００４４】
また、記憶装置２６に一旦記録したコンテンツ２７を通常視聴する際は、操作情報受信部１３からのコンテンツ２７の再生命令に従って、コンテンツ蓄積部２２が記憶装置２６から再生を指定されたコンテンツ２７を取得、ＡＶ変換部１２へ供給する。ＡＶ変換部１２は、記憶装置２６から取得されたコンテンツ２７を表示装置７が再生可能な映像信号と音声信号とに分離変換し、映像出力部１４がその映像信号を、音声出力部１５がその音声信号をそれぞれ出力することによって、視聴者はコンテンツ２７を視聴することが可能となる。
【００４５】
また、視聴者が記憶装置２６に記録されているコンテンツ２７の特定シーンをダイジェスト視聴することも可能である。その際には、まず、ダイジェスト視聴のためのシーンチェンジ時刻を特定する必要がある。以下、図７のフローチャートに基づいて、第１の実施形態におけるシーンチェンジ時刻を特定し、ダイジェスト視聴を可能にするための処理について説明する。
【００４６】
受信装置１ａの掲示板閲覧部２４は、通常、所定の時間間隔で電子掲示板サーバ２に接続し、投稿文データ２８を取得している。この時間間隔はインデックス管理部２３ａの再取得間隔データ３９に設定されている時間間隔に従う。また、視聴者が入力装置１６を操作して、操作情報受信部１３から掲示板閲覧部２４に対して取得命令を供給し、電子掲示板サーバ２から投稿文データ２８を取得するようにしてもよい。
【００４７】
まず、掲示板閲覧部２４からインデックス管理部２３ａへ投稿文データ２８が供給されると、シーンチェンジ文字列検索部３１は、シーンチェンジ用文字列データ３６を参照して、投稿文データ２８にシーンチェンジを示す文字列が含まれているかどうか判定し、含まれていた場合、その文字列が含まれている投稿文を特定する情報を投稿文分離部３２に供給する。
【００４８】
投稿文分離部３２は、投稿文を特定する情報を基に、シーンチェンジを示す文字列が含まれている投稿文を投稿文データ２８から抽出し、抽出投稿文データ３７として記録する。
【００４９】
次に、投稿時刻検出部３３は、投稿文データ２８から投稿時刻を抽出可能かどうか判定し（ステップＳ０１）、抽出可能な場合は、投稿時刻を抽出する（ステップＳ０２）。また、抽出不可能である場合は、投稿時刻検出部３３は、シーンチェンジ時刻推定部３４ａに対して、投稿時刻が抽出不可能である旨を通知する。
【００５０】
次に、シーンチェンジ時刻推定部３４ａは、シーンチェンジが行われたと推定される時刻である推定シーンチェンジ時刻を算出する。具体的には、ステップＳ０１で投稿時刻が抽出できた場合は、シーンチェンジ時刻推定部３４ａは、下記の数式に基づいて推定シーンチェンジ時刻を算出する（ステップＳ０４）。
［数１］
推定シーンチェンジ時刻＝投稿時刻−（推定投稿入力時間＋推定電子掲示板サーバ登録時間）・・・・・（１）
この推定投稿入力時間とは、視聴者がコンテンツ２７を視聴して投稿文を入力するのに必要な時間であり、また、推定電子掲示板サーバ２登録時間とは、入力された投稿文が通信端末３から電子掲示板サーバ２へ送信され、記録されるまでの時間であり、経験則から、推定投稿入力時間＋推定電子掲示板サーバ登録時間で２０〜３０秒である。
【００５１】
シーンチェンジ時刻推定部３４ａは、上記の数式に基づいて推定シーンチェンジ時刻を算出すると、推定シーンチェンジ時刻からシーンチェンジが行われた箇所、ダイジェスト視聴のための再生位置が記憶装置２６上のどこに記録されているかを特定し、再生インデックスデータ３８に記録する（ステップＳ０５）。
【００５２】
また、ステップＳ０１で投稿時刻が抽出できず、投稿時刻が抽出不可能である旨の通知がされた場合、シーンチェンジ時刻推定部３４ａは、再取得制御部３５に対して再取得間隔を要求する（ステップＳ０３）。
【００５３】
再取得制御部３５は、シーンチェンジ時刻推定部３４ａから再取得間隔の要求に基づいて、再取得間隔データ３９を取得しシーンチェンジ時刻推定部３４ａに供給する。
【００５４】
次に、シーンチェンジ時刻推定部３４ａは、推定シーンチェンジ時刻を算出する。具体的には、シーンチェンジ時刻推定部３４ａは、下記の数式に基づいて推定シーンチェンジ時刻を算出する（ステップＳ０４）。
［数２］
推定シーンチェンジ時刻＝電子掲示板サーバ２アクセス時刻−（推定投稿入力時間＋推定電子掲示板サーバ２登録時間＋再取得間隔）／２・・・・・（２）
電子掲示板サーバ２アクセス時刻は、掲示板閲覧部２４から投稿文データ２８と共に供給され、再取得間隔は再取得間隔データ３９に記述されている。シーンチェンジ時刻推定部３４ａは、上記の数式に基づいて推定シーンチェンジ時刻を算出すると、推定シーンチェンジ時刻からシーンチェンジが行われた箇所、ダイジェスト視聴のための再生位置が記憶装置２６上のどこに記録されているかを特定し、再生インデックスデータ３８に記録する（ステップＳ０５）。
【００５５】
インデックス管理部２３ａ（シーンチェンジ時刻推定部３４ａ）が抽出投稿文データ３７に記録された投稿文をＡＶ変換部１２に供給することによって、図８に示すような表示形態で、表示装置７（図２中の（Ｂ）部）に表示される。
【００５６】
例えば、視聴者がリモートコントローラ等で「発言１０４」を選択し、操作情報受信部１３からコンテンツ２７の再生命令がインデックス管理部２３ａに供給されると、インデックス管理部２３ａ（シーンチェンジ時刻推定部３４ａ）は、再生インデックスデータ３８を参照してコンテンツＩＤと再生位置を取得し、そのコンテンツＩＤと再生位置をコンテンツ蓄積部２２に供給する。
【００５７】
コンテンツ蓄積部２２は、供給されたコンテンツＩＤと再生位置に従って、記憶装置２６からコンテンツ２７を取得、ＡＶ変換部１２へ供給する。ＡＶ変換部１２は、記憶装置２６から取得されたコンテンツ２７を表示装置７が再生可能な映像信号と音声信号とに分離変換し、映像出力部１４がその映像信号を、音声出力部１５がその音声信号を出力することによって、図２中の（Ａ）部にコンテンツ２７が表示され、視聴者は、１９時１３分からのダイジェスト視聴が可能となる。
【００５８】
≪第２の実施形態≫
第２の実施形態を、図９〜図１１を用いて説明する。なお、第１の実施形態と同じ構成要件については同じ番号を付し、詳細な説明は省略する。
【００５９】
第２の実施形態における受信装置１ｂのコンテンツ制御部１１ｂは、図９に示すように、コンテンツ受信部２１、コンテンツ蓄積部２２、インデックス管理部２３ｂ、掲示板閲覧部２４、蓄積スケジューラ部２５、およびシーンチェンジ判定部５１とから構成され、ハードディスク装置等の記憶装置２６を備える。
【００６０】
シーンチェンジ判定部５１は、コンテンツ２７のフレーム毎の画像データを取得し、前後のフレームの画像データを比較し、その差分に基づいてシーンチェンジが行われたかどうか判定し、シーンチェンジが行われたと判定した場合は、その行われた時刻（検出シーンチェンジ時刻）を取得し、シーンチェンジ判定結果データとしてインデックス管理部２３ｂに供給する機能を有する。
【００６１】
さらに、インデックス管理部２３ｂは、図４に示すように、シーンチェンジ文字列検索部３１、投稿文分離部３２、投稿時刻検出部３３、シーンチェンジ時刻推定部３４ｂ、および再取得制御部３５とから構成され、図示しない記憶装置２６、または補助記憶装置２６にシーンチェンジ用文字列データ３６、抽出投稿文データ３７、再生インデックスデータ３８、および再取得間隔データ３９が記録される。
【００６２】
また、シーンチェンジ時刻推定部３４ｂは、投稿時刻検出部３３によって抽出された投稿時刻から、シーンチェンジが行われたと推定される時刻を所定の演算式で算出し、シーンチェンジ判定部５１が取得する検出シーンチェンジ時刻と比較し、比較結果から再生インデックスデータ３８を生成する機能を有する。
【００６３】
図１１のフローチャートに基づいて、第２の実施形態におけるシーンチェンジ時刻を特定し、ダイジェスト視聴を可能にするための処理について説明する。
【００６４】
まず、掲示板閲覧部２４からインデックス管理部２３ｂへ投稿文データ２８が供給されると、シーンチェンジ文字列検索部３１は、シーンチェンジ用文字列データ３６を参照して、投稿文データ２８にシーンチェンジを示す文字列が含まれているかどうか判定し、含まれていた場合、その文字列が含まれている投稿文を特定する情報を投稿文分離部３２に供給する。
【００６５】
投稿文分離部３２は、投稿文を特定する情報を基に、シーンチェンジを示す文字列が含まれている投稿文を投稿文データ２８から抽出し、抽出投稿文データ３７として記録する。
【００６６】
次に、投稿時刻検出部３３は、投稿文データ２８から投稿時刻を抽出可能かどうか判定し（ステップＳ１１）、抽出可能な場合は、投稿時刻を抽出する（ステップＳ１２）。また、抽出不可能である場合は、投稿時刻検出部３３は、シーンチェンジ時刻推定部３４ｂに対して、投稿時刻が抽出不可能である旨を通知する。
【００６７】
次に、シーンチェンジ時刻推定部３４ｂは、推定シーンチェンジ時刻を算出する。具体的には、ステップＳ０１で投稿時刻が抽出できた場合は、シーンチェンジ時刻推定部３４ｂは、（１）の数式に基づいて推定シーンチェンジ時刻を算出する（ステップＳ１４）。
【００６８】
また、ステップＳ０１で投稿時刻が抽出できず、投稿時刻が抽出不可能である旨の通知がされた場合、シーンチェンジ時刻推定部３４ｂは、再取得制御部３５に対して再取得間隔を要求する（ステップＳ１３）。
【００６９】
再取得制御部３５は、シーンチェンジ時刻推定部３４ｂから再取得間隔の要求に基づいて、再取得間隔データ３９を取得しシーンチェンジ時刻推定部３４ｂに供給する。
【００７０】
次に、シーンチェンジ時刻推定部３４ｂは、推定シーンチェンジ時刻を算出する。具体的には、シーンチェンジ時刻推定部３４ｂは、（２）の数式に基づいて推定シーンチェンジ時刻を算出する（ステップＳ１４）。
【００７１】
電子掲示板サーバ２アクセス時刻は、掲示板閲覧部２４から投稿文データ２８と共に供給され、再取得間隔は再取得間隔データ３９に記述されているので、シーンチェンジ時刻推定部３４ｂは、（２）の数式に基づいて推定シーンチェンジ時刻を算出する。
【００７２】
次に、シーンチェンジ時刻推定部３４ｂは、シーンチェンジ判定部５１から供給されるシーンチェンジ判定結果データ（検出シーンチェンジ時刻）と推定シーンチェンジ時刻と比較し、推定シーンチェンジ時刻を基準に前後所定の時間内に検出シーンチェンジ時刻が存在するか判定する（ステップＳ１５）。
【００７３】
判定の結果、検出シーンチェンジ時刻が所定の時間内に存在する場合は、シーンチェンジ時刻推定部３４ｂは、その検出シーンチェンジ時刻を推定シーンチェンジ時刻に変更する（ステップＳ１６）。
【００７４】
例えば、所定の時間を１５秒として、推定シーンチェンジ時刻が１９時３４分２８秒で、検出シーンチェンジ時刻が１９時３４分１９秒であったとすると、検出シーンチェンジ時刻は推定シーンチェンジ時刻を基準として１５秒以内にあることになるので、シーンチェンジ時刻推定部３４ｂは、１９時３４分１９秒を推定シーンチェンジ時刻とする。
【００７５】
また、判定の結果、検出シーンチェンジ時刻が所定の時間内に存在しない場合は、シーンチェンジ時刻推定部３４ｂは、検出シーンチェンジ時刻を破棄し、後続の処理へ移行する。
【００７６】
次に、シーンチェンジ時刻推定部３４ｂは、推定シーンチェンジ時刻からシーンチェンジが行われた箇所、ダイジェスト視聴のための再生位置が記憶装置２６上のどこに記録されているかを特定し、再生インデックスデータ３８に記録する（ステップＳ１７）。
【００７７】
インデックス管理部２３ｂ（シーンチェンジ時刻推定部３４ｂ）が抽出投稿文データ３７に記録された投稿文をＡＶ変換部１２に供給することによって、図８に示すような表示形態で、表示装置７（図２中の（Ｂ）部）に表示される。
【００７８】
例えば、視聴者がリモートコントローラ等で「発言１０４」を選択し、操作情報受信部１３からコンテンツ２７の再生命令がインデックス管理部２３ｂに供給されると、インデックス管理部２３ｂ（シーンチェンジ時刻推定部３４ｂ）は、再生インデックスデータ３８を参照してコンテンツＩＤと再生位置を取得し、そのコンテンツＩＤと再生位置をコンテンツ蓄積部２２に供給する。
【００７９】
コンテンツ蓄積部２２は、供給されたコンテンツＩＤと再生位置に従って、記憶装置２６からコンテンツ２７を取得、ＡＶ変換部１２へ供給する。ＡＶ変換部１２は、記憶装置２６から取得されたコンテンツ２７を表示装置７が再生可能な映像信号と音声信号とに分離変換し、映像出力部１４がその映像信号を、音声出力部１５がその音声信号を出力することによって、図２中の（Ａ）部にコンテンツ２７が表示され、視聴者は、１９時１３分からのダイジェスト視聴が可能となる。
【図面の簡単な説明】
【００８０】
【図１】システム全体の構成を示す図である。
【図２】第１の実施形態における受信端末の機能構成図である。
【図３】第１の実施形態におけるコンテンツ制御部の機能構成図である。
【図４】第１の実施形態におけるインデックス管理部の機能構成図である。
【図５】第１の実施形態における再生インデックスデータおよび抽出投稿文データを示す図である。
【図６】電子掲示板サーバに投稿される投稿文を記録したデータを示す図である。
【図７】推定シーンチェンジ時刻を算出する処理を示すフローチャートである。
【図８】表示装置に出力された投稿文の例を示す図である。
【図９】第２の実施形態におけるコンテンツ制御部の機能構成図である。
【図１０】第２の実施形態におけるインデックス管理部の機能構成図である。
【図１１】第２の実施形態における再生インデックスデータおよび抽出投稿文データを示す図である。
【符号の説明】
【００８１】
１ａ，ｂ  受信装置
２  電子掲示板サーバ
３  通信端末
４  ネットワーク
７  表示装置
１１ａ，ｂ  コンテンツ制御部
１２  ＡＶ変換部
１３  操作情報受信部
１４  映像出力部
１５  音声出力部
１６  入力装置
２１  コンテンツ受信部
２２  コンテンツ蓄積部
２３ａ，ｂ  インデックス管理部
２４  掲示板閲覧部
２５  蓄積スケジューラ部
２６  記憶装置
２７  コンテンツ
２８  投稿文データ
３１  シーンチェンジ文字列検索部
３２  投稿文分離部
３３  投稿時刻検出部
３４ａ，ｂ  シーンチェンジ時刻推定部
３５  再取得制御部
３６  シーンチェンジ用文字列データ
３７  抽出投稿文データ
３８  再生インデックスデータ
３９  再取得間隔データ
５１  シーンチェンジ判定部
【図１】
2005136582.tif 000003
【図２】
2005136582.tif 000004
【図３】
2005136582.tif 000005
【図４】
2005136582.tif 000006
【図５】
2005136582.tif 000007
【図６】
2005136582.tif 000008
【図７】
2005136582.tif 000009
【図８】
2005136582.tif 000010
【図９】
2005136582.tif 000011
【図１０】
2005136582.tif 000012
【図１１】
2005136582.tif 000013